(57)【特許請求の範囲】
【請求項１】
送信元や送信先の電子メールアドレスを含む電子メール情報を表示する表示手段と、
送信元や送信先の電子メールアドレスと電話番号とを対応付けて記憶する記憶手段と、
ユーザからの発信操作を受け付ける受付手段と、
前記表示手段に電子メール情報が表示されているときに、前記受付手段を通じて発信操作を受け付けた場合に、前記電子メール情報に含まれる電子メールアドレスに基づいて前記記憶手段の情報を参照し、電話をかける相手先の電話番号を特定する特定手段と、
前記特定手段により特定された電話番号を用いて発信を行う発信処理手段と
を備え、
前記表示手段に表示されている電子メール情報が複数の相手先の電子メールアドレスを含むものである場合、前記受付手段を通じて発信操作を受け付ける毎に、前記特定手段は、用いる電子メールアドレスを替えて異なる相手先の電話番号を特定することができるものであることを特徴とする電話通信端末。
【請求項２】
送信元や送信先の電子メールアドレスを含む電子メール情報を表示する表示手段と、
送信元や送信先の電子メールアドレスと電話番号とを対応付けて記憶する記憶手段と、
ユーザからの発信操作を受け付ける受付手段と、
前記表示手段に電子メール情報が表示されているときに、前記受付手段を通じて発信操作を受け付けた場合に、前記電子メール情報に含まれる電子メールアドレスに基づいて前記記憶手段の情報を参照し、電話をかける相手先の電話番号を特定する特定手段と、
前記特定手段により特定された電話番号を用いて発信を行う発信処理手段と
を備える電話通信端末であって、
前記表示手段を備えた表示装置と、前記記憶手段と前記受付手段と前記特定手段と前記発信処理手段とを備えると共に、広域ネットワークに接続するようにされるベース装置とからなり、
前記表示装置は、
前記ベース装置への接続を可能にする表示装置側接続端部と、
前記表示装置側接続端部を通じて前記ベース装置に接続されているときに、前記表示手段に電子メール情報が表示された場合に、当該電子メール情報に含まれる少なくとも電子メールアドレスを前記ベース装置に通知するメール情報通知処理手段と
を備え、
前記ベース装置は、
前記表示装置の接続を可能にするベース装置側接続端部を備え、
前記特定手段は、前記表示装置から提供される前記電子メールアドレスに基づいて、電話をかける相手先の電話番号を特定することを特徴とする電話通信端末。
【請求項３】
送信元や送信先の電子メールアドレスを含む電子メール情報を表示する表示手段と、
送信元や送信先の電子メールアドレスと電話番号とを対応付けて記憶する記憶手段と、
ユーザからの発信操作を受け付ける受付手段と、
前記表示手段に電子メール情報が表示されているときに、前記受付手段を通じて発信操作を受け付けた場合に、前記電子メール情報に含まれる電子メールアドレスに基づいて前記記憶手段の情報を参照し、電話をかける相手先の電話番号を特定する特定手段と、
前記特定手段により特定された電話番号を用いて発信を行う発信処理手段と
を備える電話通信端末であって、
前記表示手段と前記記憶手段と前記特定手段と前記発信処理手段とを備えた表示装置と、前記受付手段を備えると共に、広域ネットワークに接続するようにされるベース装置とからなり、
前記表示装置は、
前記ベース装置への接続を可能にする表示装置側接続端部を備え、
前記表示装置側接続端部を通じて前記ベース装置に接続され、前記表示手段に電子メール情報が表示されているときに、前記ベース装置から発信操作が行われたことの通知があった場合に、前記特定手段は、表示されている電子メール情報に含まれる電子メールアドレスに基づいて、前記記憶手段の情報を参照し、電話をかける相手先の電話番号を特定するものであり、
前記発信処理手段は、前記特定手段により特定された相手先に対して前記ベース装置を通じて発信するように処理するものであり、
前記ベース装置は、
前記表示装置の接続を可能にするベース装置側接続端部と、
前記ベース装置側接続端部を通じて前記表示装置が接続されているときに、前記受付手段を通じて発信操作を受け付けた場合に、発信操作が行われたことの通知を形成して、前記表示装置に提供する通知提供手段と
を備え、
前記ベース装置が前記表示装置からの発信メッセージを中継することを特徴とする電話通信端末。
【請求項４】
請求項２または請求項３に記載の電話通信端末であって、
前記表示手段に表示されている電子メール情報が複数の相手先の電子メールアドレスを含むものである場合、前記受付手段を通じて発信操作を受け付ける毎に、前記特定手段は、用いる電子メールアドレスを替えて異なる相手先の電話番号を特定することができるものであることを特徴とする電話通信端末。
【請求項５】
広域ネットワークに接続するようにされるベース装置と、当該ベース装置に対して接続される表示装置とからなる電話通信端末の前記ベース装置であって、
送信元や送信先の電子メールアドレスと電話番号とを対応付けて記憶する記憶手段と、
前記表示装置の接続を可能にする接続端部と、
ユーザからの発信操作を受け付ける受付手段と、
前記接続端部を通じて接続された前記表示装置の表示手段に電子メール情報が表示されているときに、前記受付手段を通じて発信操作を受け付けた場合に、前記表示装置から提供された前記電子メール情報に含まれる電子メールアドレスに基づいて、前記記憶手段の情報を参照し、電話をかける相手先の電話番号を特定する特定手段と、
前記特定手段により特定された電話番号を用いて発信を行う発信処理手段と
を備えることを特徴とするベース装置。
【請求項６】
広域ネットワークに接続するようにされるベース装置と、当該ベース装置に対して接続される表示装置とからなる電話通信端末の前記ベース装置に搭載されたコンピュータにおいて実行されるプログラムであって、
受付手段を通じてユーザからの発信操作を受け付ける受付ステップと、
ベース装置側接続端部を通じて接続されている前記表示装置の表示手段に電子メール情報が表示されているときに、前記受付ステップにおいて発信操作を受け付けた場合に、特定手段が、前記表示装置から提供される前記電子メール情報の電子メールアドレスに基づいて、送信元や送信先の電子メールアドレスと電話番号とを対応付けて記憶する記憶手段の情報を参照し、電話をかける相手先の電話番号を特定する特定ステップと、
前記特定ステップにおいて特定した電話番号を用いて発信を行う発信処理ステップと
を実行することを特徴とする発信処理プログラム。
【請求項７】
広域ネットワークに接続するようにされるベース装置と、当該ベース装置に対して接続される表示装置とからなる電話通信端末の前記表示装置に搭載されたコンピュータにおいて実行されるプログラムであって、
表示装置側接続端部を通じて前記ベース装置に接続され、表示手段に送信元や送信先の電子メールアドレスを含む電子メール情報が表示されているときに、前記ベース装置から発信操作が行われたことの通知があった場合に、特定手段が、表示されている電子メール情報に含まれる電子メールアドレスに基づいて、送信元や送信先の電子メールアドレスと電話番号とを対応付けて記憶する記憶手段の情報を参照し、電話をかける相手先の電話番号を特定する特定ステップと、
前記特定ステップにおいて特定した相手先に対して、発信処理手段が前記ベース装置を通じて発信するように処理する発信ステップと
を実行することを特徴とする発信処理プログラム。
【発明の詳細な説明】
【技術分野】
【０００１】
この発明は、送信した、あるいは、受信した電子メールの相手先に対して、電話をかける場合に用いる装置、プログラムに関する。
【背景技術】
【０００２】
電子メールは、連絡手段の１つとして、個人でも、また、仕事でも広く用いられているが、通信ネットワークに接続可能なパーソナルコンピュータや携帯電話端末などを用いて受信者が能動的に閲覧するようにしなければ見ることができない。このため、確実に相手先に通知すべき情報については、電子メールだけでなく、電話でも連絡することがビジネスマナーにもなっている。
【０００３】
そして、電子メールの相手先に電話をかけるときには、相手先の電話番号を例えば電話機に登録されている電話帳データなどを参照するなどして調べて、当該相手先に電話をかけるようにしている。このように、従来は、電子メールによる通信と電話による通信とは、各々独立したシステムや装置によって行われおり、電子メールによる通信と電話による通信の連携を取ることができるようにすることが要請されていた。
【０００４】
特許文献１には、メールアドレスと電話番号を対応付けて記憶し、着信した電子メールのメールアドレスから電話番号を自動発信して通話したり、電話番号からメールアドレスを自動発信して電子メールを送信したりする発明が開示されている。当該発明は、ボタン電話機とパーソナルコンピュータとを備えたものであり、電子メールによる通信と電話による通信とを連携させる１つの技術として有効なものである。
【先行技術文献】
【特許文献】
【０００５】
【特許文献１】特開２００２−３２５１２８号公報
【発明の概要】
【発明が解決しようとする課題】
【０００６】
ところで、上述した特許文献１に記載の発明は、表示器に表示されたメールアドレス又は電話番号をキーボードまたはマウスを用いて指定することで、電話をかけたり、電子メールを送信したりするものである。したがって、目的とするメールアドレスや電話番号の表示位置にキーボードやマウスを用いてカーソルを位置付けて選択するという操作が必ず必要となってしまう。
【０００７】
このように、目的とする情報にカーソルを位置付けて選択するという操作は、（１）ユーザが目的とする情報が表示されている位置を認識し、（２）その認識した位置にカーソル位置付ける操作を行い、（３）位置付けたことを確認して選択操作を行って確定する。という複数の段階を経て行われる操作である。このため、このような操作は、ユーザにとってわずらわしい操作となってしまう場合が多く、より簡単な操作で電子メールによる通信と電話による通信との連携を図ることができるようにしたいとする要請がある。
【０００８】
以上の点に鑑み、この発明は、より直感的で簡単な操作によって、電子メールによる通信と電話による通信との連携を図ることができるようにすることを目的とする。
【課題を解決するための手段】
【０００９】
上記課題を解決するため、請求項１に記載の発明の電話通信端末は、
送信元や送信先の電子メールアドレスを含む電子メール情報を表示する表示手段と、
送信元や送信先の電子メールアドレスと電話番号とを対応付けて記憶する記憶手段と、
ユーザからの発信操作を受け付ける受付手段と、
前記表示手段に電子メール情報が表示されているときに、前記受付手段を通じて発信操作を受け付けた場合に、前記電子メール情報に含まれる電子メールアドレスに基づいて前記記憶手段の情報を参照し、電話をかける相手先の電話番号を特定する特定手段と、
前記特定手段により特定された電話番号を用いて発信を行う発信処理手段と
を備え、
前記表示手段に表示されている電子メール情報が複数の相手先の電子メールアドレスを含むものである場合、前記受付手段を通じて発信操作を受け付ける毎に、前記特定手段は、用いる電子メールアドレスを替えて異なる相手先の電話番号を特定することができるものであることを特徴とする。
【００１２】
これにより、ユーザは、例えば、ハンドセット（送受話器）を取り上げるオフフック操作や発信ボタンの押下操作といった直感的で簡単な発信操作によって、電子メールの相手先に対して自動的に電話をかけることができるようにされる。したがって、より直感的で簡単な操作によって、電子メールによる通信と電話による通信との連携を図ることができるようにされる。
【発明の効果】
【００１３】
この発明によれば、直感的で極めて簡単な発信操作を行うことによって、表示された電子メール情報の相手先に対して電話をかけることができる。これにより、電子メールによる通信と電話による通信との連携を図ることができる。
【図面の簡単な説明】
【００１４】
【図１】実施の形態の電話システムの概要を説明するためのブロック図である。
【図２】ＩＰ電話端末４と携帯電話端末５との連携の概要について説明するための図である。
【図３】ＳＩＰサーバ１の構成例を説明するためのブロック図である。
【図４】アドレス管理ＤＢ１０６に形成される管理情報（データベース）の構成例について説明するための図である。
【図５】ＩＰ電話端末４の構成例を説明するためのブロック図である。
【図６】携帯電話端末５の構成例を説明するためのブロック図である。
【図７】表示された電子メール情報の相手先に電話をかける場合の動作（処理）の第１の例について説明するためのシーケンス図である。
【図８】携帯電話端末５に表示される電子メール情報の一例と表示の遷移について説明するための図である。
【図９】表示された電子メール情報の相手先に電話をかける場合の動作（処理）の第２の例について説明するためのシーケンス図である。
【図１０】ＩＰ電話端末４Ａの構成例を説明するためのブロック図である。
【図１１】携帯電話端末５Ａの構成例を説明するためのブロック図である。
【図１２】表示された電子メール情報の相手先に電話をかける場合の第２の実施の形態の動作（処理）について説明するためのシーケンス図である。
【図１３】変形例における第１、第２の実施の形態の電話システムの動作（処理）を説明するためのシーケンス図である。
【発明を実施するための形態】
【００１５】
以下、図を参照しながら、この発明による装置、プログラムの一実施の形態について説明する。以下に説明する実施の形態においては、例えば、事業所内に形成されるボタン電話システムであって、ＩＰ（Internet Protocol）網を通じても電話通信を行うことができるＩＰ電話システムに、この発明を適用した場合を例にして説明する。
【００１６】
［第１の実施の形態］
［電話システムの概要］
図１は、この第１の実施の形態の電話システムの概要を説明するためのブロック図である。図１に示すように、この実施の形態の電話システムは、ＳＩＰサーバ１に対してＬＡＮ（Local Area Network）２を通じ、複数のＩＰ電話端末４（１）、４（２）、４（３）、…が接続されて構成される。そして、この実施の形態においては、ＩＰ電話端末４（１）、４（２）、４（３）、…のそれぞれと、電子メールの送受が可能な携帯電話端末５とを、所定のデジタルインターフェースを用いて接続し、データの送受を行うことができるようにしている。
【００１７】
そして、以下に説明する実施の形態において、ＩＰ電話端末４（１）、４（２）、４（３）、…のそれぞれが、電話機能を実現するベースとなるベース装置を構成し、携帯電話端末５が、電子メール情報等を表示する表示装置を構成するものとして位置付けられる。なお、以下に説明する実施の形態において、ＩＰ電話端末４（１）、４（２）、４（３）、…のそれぞれと携帯電話端末５とは、例えばＵＳＢ（Universal Serial Bus）規格のインターフェースケーブル８により接続されるものとして説明する。
【００１８】
ＳＩＰサーバ１は、図１に示したように、ＩＰ網６と電話網７とに接続され、通信路（通信回線）を接続する端末間のアドレス解決をするものである。つまり、ＳＩＰサーバ１は、レジストラ・サーバ機能とプロキシ・サーバ機能とを備え、これらの機能を用いることによって、ＬＡＮ２に接続された電話システム内の機器との間や、ＬＡＮ２に接続された機器とＩＰ網６や電話網７に接続された機器との間に、通信路を接続することができるようにするものである。
【００１９】
ＩＰ網６は、ＩＰ（Internet Protocol）を用いて通信を行うネットワークを意味し、具体的にはインターネットである。また、電話網７は、アナログ方式の公衆交換電話網（ＰＳＴＮ（Public Switched Telephone Network））、デジタル回線網（ＩＳＤＮ（Integrated Services Digital Network））、３Ｇ回線などと呼ばれる第３世代の高速携帯電話ネットワーク（携帯電話網）などを含むものである。
【００２０】
ＩＰ電話端末４（１）、４（２）、４（３）、…のそれぞれは、通話を行うためにユーザによって用いられる通信端末である。ＩＰ電話端末４（１）、４（２）、４（３）、…のそれぞれは、ＬＡＮ２に接続されたＩＰ電話端末との間の内線通話と、ＩＰ網６や電話網７に接続された外部の電話端末との間の外線通話とを行うことができるものである。
【００２１】
携帯電話端末５は、携帯電話網を通じて通信路を接続して通話を行うことができるものである。また、携帯電話端末５は、携帯電話網を通じてインターネットに接続し、Ｗｅｂページを閲覧したり、種々の情報のダウンロードやアップロードを行ったり、また、電子メールの送信、受信を行ったりすることができるものである。この実施の形態において、携帯電話端末５は、電子メールの送受やＷｅｂページの閲覧などを行うネットワーク機能や個人情報管理に優れたいわゆるスマートフォンなどと呼ばれる高機能の携帯電話端末である。
【００２２】
そして、図１において、ＩＰ電話端末４（２）と携帯電話端末５とが接続されているように、ＩＰ電話端末４（１）、４（２）、４（３）、…と、携帯電話端末５とは、ＵＳＢケーブル８を用いて接続し、相互に種々のデータの送受を行うことができるようにしている。これにより、携帯電話端末５が接続されたＩＰ電話端末４（１）、４（２）、４（３）、…は、当該携帯電話端末５と連携することができるようにしている。
【００２３】
なお、この実施の形態において、ＩＰ電話端末４（１）、４（２）、４（３）、…のそれぞれは、同様に構成されるものである。このため、以下においては、特に区別して示す場合を除き、ＩＰ電話端末４（１）、４（２）、４（３）、…のそれぞれを総称してＩＰ電話端末４という。また、図１においては、携帯電話端末５は１台しか示していないが、携帯電話端末５もまた複数存在する携帯電話端末を総称するものである。
【００２４】
そして、図１に示したように、ＩＰ電話端末４と携帯電話端末５とがＵＳＢケーブル８を通じて接続された状態にあるとする。この時に、携帯電話端末５の表示画面に電子メール情報が表示され、さらに、ＩＰ電話端末４に対して発信操作が行われたとする。この場合、この実施の形態の電話システムにおいては、ユーザが発信操作以外の操作をＩＰ電話端末４や携帯電話端末５に対して行うことなく、表示中の電子メール情報に含まれる電子メールアドレスに対応する相手先に電話をかけることができるようにしている。
【００２５】
図２は、ＩＰ電話端末４と携帯電話端末５との連携の概要について説明するための図である。図２Ａに示すように、ＩＰ電話端末４に対しては、外部端子４１１及びＵＳＢケーブル８を通じて携帯電話端末５が接続されている状態にあるとする。そして、ＩＰ電話端末４に接続された携帯電話端末５のディスプレイ５２４の表示画面には、送信元と送信先の電子メールアドレス等の種々の情報を含む電子メール情報が表示されているとする。
【００２６】
この状態にあるときに、図２Ｂに示すように、ＩＰ電話端末４のハンドセット４４０をＩＰ電話端末４の本体から取り上げると、フックスイッチＳＷはオン状態からオフ状態に遷移し、ＩＰ電話端末４はオフフック状態（回線接続状態）になる。このオフフック状態にされた場合を、ＩＰ電話端末４は発信操作が行われたと判別し、自機に接続されている携帯電話端末５のディスプレイ５２４の表示画面に表示されている電子メール情報の相手先に対して、自動的に発信して電話をかけることができるようにしている。
【００２７】
この場合に電話をかける相手先は、携帯電話端末５に表示されている電子メール情報に含まれる電子メールアドレスの内、当該携帯電話端末５のユーザの電子メールアドレス以外の電子メールアドレスにより特定される相手先となる。このような電話をかける相手先の特定（区別）は、簡単には、電子メール情報に含まれる電子メールアドレスと携帯電話端末５に予め登録されている自機のユーザの電子メールアドレスとの比較に基づいて行うことができる。
【００２８】
そして、ＩＰ電話端末４が、携帯電話端末５から提供される電子メールアドレスに基づいて、例えば、当該ＩＰ電話端末４のメモリに形成された少なくとも電子メールアドレスと電話番号とを対応付けた電話帳データを参照し、相手先の電話番号を特定する。そして、ＩＰ電話端末４が、この特定した電話番号の相手先に対して発信することができるようにしている。また、別の方法として、ＩＰ電話端末４が、携帯電話端末５のメモリに形成された少なくとも電子メールアドレスと電話番号とを対応付けた電話帳情報から取得される電話番号の提供を受けて、これに応じて発信するように構成することもできる。
【００２９】
このように、この実施の形態の電話システムにおいては、ハンドセット４４０を持ち上げてオフフックにする、あるいは、発信キーを押下操作するといった直感的で簡単な操作を契機として、電子メールの送信元や送信先に電話をかけることができるようにされる。以下、この実施の形態の電話システムを構成する各機器について説明した後に、当該電話システムにおいて、ＩＰ電話端末４から電子メール情報の相手先に電話をかける場合の動作（処理）の具体例について説明する。
【００３０】
［ＳＩＰサーバ１の構成例］
まず、第１の実施の形態の電話システムのＳＩＰサーバ１の構成について説明する。図３は、ＳＩＰサーバ１の構成例を説明するためのブロック図である。図３に示すように、ＳＩＰサーバ１は、ＩＰ網６への接続端子１０１と、ＩＰ網インターフェース（以下、ＩＰ網Ｉ／Ｆと略称する。）１０２と、パケット分解／生成部１０３とを備えている。また、ＳＩＰサーバ１は、電話網インターフェース（以下、電話網Ｉ／Ｆと略称する。）１０４と、電話網７への接続端子１０５と、アドレス管理データベース（以下、アドレス管理ＤＢと略称する。）１０６とを備えている。さらに、ＳＩＰサーバ１は、ＬＡＮインターフェース（以下、ＬＡＮＩ／Ｆと略称する。）１０７と、ＬＡＮ２への接続端子１０８と、制御部１１０とを備えている。
【００３１】
制御部１１０は、この実施の形態のＳＩＰサーバ１の各部を制御するものであり、図３に示すように、ＣＰＵ（Central Processing Unit）１１１、ＲＯＭ（Read Only Memory）１１２、ＲＡＭ（Random Access Memory）１１３がシステムバス１１４を通じて接続されて構成されたマイクロコンピュータである。ここで、ＣＰＵ１１１は、ＲＯＭ１１２に記憶保持されているプログラムを実行することにより、各部を制御するための制御信号を生成して各部に供給したり、各部からの情報を処理したりするものである。ＲＯＭ１１２は、上述のように、ＣＰＵ１１１で実行される種々のプログラムや処理に必要となる種々のデータを記憶保持しているものである。
【００３２】
また、ＲＡＭ１１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００３３】
接続端子１０１は、ＩＰ網６への接続端部を構成するものである。ＩＰ網Ｉ／Ｆ１０２は、ＩＰ網６を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網６に送出する。
【００３４】
接続端子１０５は電話網７への接続端部を構成するものである。電話網Ｉ／Ｆ１０４は、電話網７を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網７に送出する。
【００３５】
接続端子１０８はＬＡＮ２への接続端部を構成するものである。ＬＡＮＩ／Ｆ１０７は、ＬＡＮ２を通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮ２に送出する。
【００３６】
パケット分解／生成部１０３は、パケットの分解や生成を行うものであり、主に、電話網７に接続された端末装置とＳＩＰサーバ１の配下のＩＰ電話端末４との間で通話を行う場合に、送受するデータのパケットの分解や生成を行う。具体的には、ＬＡＮ２を通じてＳＩＰサーバ１に接続されたＩＰ電話端末４等からの電話網７に接続された端末装置に送信すべきパケットが、接続端子１０８、ＬＡＮＩ／Ｆ１０７を通じて制御部１１０に供給される。当該パケットは、制御部１１０からパケット分解／生成部１０３に供給され、ここでパケット分解された後に、電話網Ｉ／Ｆ１０４、接続端子１０５を通じて電話網に送出され、目的とする相手先に送信される。
【００３７】
また、電話網７に接続された端末装置からのＬＡＮ２を通じてＳＩＰサーバ１に接続されたＩＰ電話端末４等へのデータは、接続端子１０５、電話網Ｉ／Ｆ１０４を通じて制御部１１０に供給される。当該データは、制御部１１０からパケット分解／生成部１０３に供給され、ここで所定の形式のパケットとされた後に、ＬＡＮＩ／Ｆ１０７、接続端子１０８を通じて、ＬＡＮ２に送出されて目的とするＩＰ電話端末４等に送信される。
【００３８】
なお、ＩＰ網６に接続された端末と、ＳＩＰサーバ１にＬＡＮ２を通じて接続されるＩＰ電話端末４等との間では、パケットが送受される。このため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受される。同様に、ＳＩＰサーバ１にＬＡＮ２を通じて接続されるＩＰ電話端末４間においても、パケットが送受されるため、パケット分解／生成部１０３において、パケットの分解や生成は行われることはなく、ＬＡＮＩ／Ｆ１０７を通じてパケットが送受される。
【００３９】
そして、アドレス管理ＤＢ１０６は、レジストラ・サーバ機能を実現するために、ＩＰ網６やＬＡＮ２に接続され、このＳＩＰサーバ１を通じて呼び出す可能性のある端末装置についてのアドレス情報を記憶保持するものである。具体的には、ＳＩＰサーバ１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信する。この場合に、制御部１１０は、受信した要求に含まれるＵＲＩ（Uniform Resource Identifier）やＩＰアドレスなどのアドレス情報を抽出する。そして、制御部１１０は、抽出したアドレス情報をアドレス管理ＤＢ１０６に登録したり、抽出したアドレス情報を用いてアドレス管理ＤＢ１０６の登録情報を更新したりする。
【００４０】
このようにして、アドレス管理ＤＢ１０６に登録されて管理される情報が参照され、自機にＬＡＮ２を通じて接続されるＩＰ電話端末４などから要求のあった通信先を確実に特定する。そして、その特定した相手先に送信すべき情報（パケットデータ）を転送するようにするプロキシ・サーバとしての機能をＳＩＰサーバ１が実現する。また、アドレス管理ＤＢ１０６に登録されて管理される情報は、自機にＬＡＮ２を通じて接続されるＩＰ電話端末４などへの着信の判別などにも用いられる。
【００４１】
図４は、アドレス管理ＤＢ１０６に形成される管理情報（データベース）の構成例について説明するための図である。ＳＩＰサーバ１のアドレス管理ＤＢ１０６は、ＩＰ網６に接続された他のＩＰ電話システムの端末装置のアドレス情報の他、当該ＳＩＰサーバ１にＬＡＮ接続されたＩＰ電話端末４などについてのアドレス情報をも管理する。
【００４２】
基本的にＳＩＰサーバ１のアドレス管理ＤＢ１０６に形成される管理情報は、上述もしたように、ＩＰ網６に接続された端末装置から送信されてくるＵＲＩ（ＳＩＰ  ＵＲＩ）と、ＩＰアドレスである。そして、この実施の形態のＳＩＰサーバ１のアドレス管理ＤＢ１０６では、図３に示したように、ＳＩＰサーバ１にＬＡＮ接続されたＩＰ電話端末４については、ＵＲＩとＩＰアドレスの他、ＭＡＣ（Media Access Control）アドレスと内線番号についても管理する。
【００４３】
そして、この実施の形態の電話システムのＩＰ電話端末４からＩＰ網６に接続された端末装置に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の端末装置を特定し、この特定した端末装置に対して、メッセージの転送を行う。また、ＩＰ網６や電話網７を通じて、ＬＡＮ２に接続されているＩＰ電話端末４に対する着信要求（外線着信）をＳＩＰサーバ１が受け付けたとする。この場合、ＳＩＰサーバ１の制御部１１０は、送信されてきたメッセージを受け付けて、これを自システム内に送出する。
【００４４】
なお、外線着信であっても、例えば個別着信（着信先のＩＰ電話端末を特定した着信）や、ＳＩＰサーバ１にＬＡＮ接続されたＩＰ電話端末間の内線の発着信の場合には、ＳＩＰサーバ１は相手先を特定して着信を通知する。すなわち、この場合、ＳＩＰサーバ１の制御部１１０は、自己のアドレス管理ＤＢ１０６の管理情報に基づいて、目的とする相手先のＩＰ電話端末４を特定し、この特定したＩＰ電話端末４に対して、メッセージの転送を行う。
【００４５】
また、発信に際して、ＩＰ電話番号が用いられる場合には、図１には図示しなかったが、ＩＰ網６に接続されているゲートウェイやＤＮＳ（Domain Name System）が利用されて、ＩＰ電話番号からＵＲＩなどが検索されて用いられることになる。相手先から、この実施の形態の電話システムを構成するＩＰ電話端末４に対して、ＩＰ電話番号を用いて電話をかける場合においても同様に、ＩＰ網６に接続されているゲートウェイやＤＮＳが利用されて、ＩＰ電話番号からＵＲＩなどが検索されて用いられる。
【００４６】
このように、この実施の形態のＳＩＰサーバ１は、パケット分解／生成部１０３やアドレス管理ＤＢ１０６を備え、ＳＩＰサーバ１が接続される種々のネットワークに接続される端末間のメッセージの中継を行うことができるものである。したがって、この実施の形態のＳＩＰサーバ１は、外線−内線間の接続や内線間の接続を行ったり、通信回線の使用状況を配下のＩＰ電話端末４に通知したりすることができるものである。
【００４７】
また、制御部１１０は、ＩＰ網Ｉ／Ｆ１０２、電話網Ｉ／Ｆ１０４、ＬＡＮＩ／Ｆ１０７を通じて、使用中の通信回線や空いている通信回線を把握し、適切に回線交換を行うこともできるようにしている。また、制御部１１０は、把握した通信回線の使用状態等に応じて、ＬＡＮ２を通じて接続されるＩＰ電話端末４毎に供給すべきＬＥＤ等の点灯、消灯を制御するための制御情報を形成する。当該制御情報は、ＬＡＮＩ／Ｆ１０７、接続端子１０８を通じてＬＡＮ２に送出され、各ＩＰ電話端末４等に送信される。
【００４８】
なお、図３において、パケット分解／生成部１０３は、独立した回路部分として示しているが、これに限るものではない。パケット分解／生成部１０３は、制御部１１０において実行されるプログラムにより、制御部１１０の機能として実現することももちろん可能である。
【００４９】
［ＩＰ電話端末４の構成例］
次に、第１の実施の形態の電話システムで用いられるＩＰ電話端末４の構成について説明する。図５は、この実施の形態の電話システムのＩＰ電話端末４の構成例を説明するためのブロック図である。
【００５０】
この実施の形態のＩＰ電話端末４は、図５に示すように、主に電話機能を実現する部分として、ＬＡＮ接続端子４０１、ＬＡＮＩ／Ｆ４０２、パケット処理部４０３、通話音声入出力インターフェース（以下、通話音声入出力Ｉ／Ｆという。）４０４、ハンドセット接続端子４０５、オンフック／オフフック検出部４０６、ハンドセット４４０、リンガ４０７、操作入力部４０８、操作入力インターフェース（以下、操作入力Ｉ／Ｆという。）４０９、電話帳メモリ４１０、ディスプレイコントローラ４１５、ディスプレイ４１６を備えている。
【００５１】
また、ＩＰ電話端末４は、外部機器を接続するための部分として、図５に示すように、外部端子４１１、外部インターフェース（以下、外部Ｉ／Ｆと略称する。）４１２、充電電流供給回路４１３、ＡＣコンセント４１４を備えている。さらに、ＩＰ電話端末４は、自機に接続された携帯電話端末５との連携を実現する部分として、電話番号特定部４２１、発信等処理部４２２、端末表示制御部４２３を備えると共に、当該ＩＰ電話端末４の各部を制御する制御部４３０を備えている。
【００５２】
制御部４３０は、ＣＰＵ４３１、ＲＯＭ４３２、ＲＡＭ４３３、ＥＥＰＲＯＭ４３４が、ＣＰＵバス４３５を通じて接続されて構成されたマイクロコンピュータである。ここで、ＣＰＵ４３１は、ＲＯＭ４３２に記憶保持されているプログラムを読み出して実行し、各部に供給する制御信号を形成してこれを各部に供給したり、また、各部から供給されるデータを処理したりするものである。ＲＯＭ４３２は、上述のように、ＣＰＵ４３１で実行される種々のプログラムや処理に必要になる各種のデータが記憶保持されたものである。
【００５３】
また、ＲＡＭ４３３は、処理の途中結果を一時記憶するなど、主に作業領域として用いられるものである。また、ＥＥＰＲＯＭ４３４は、いわゆる不揮発性メモリであり、電源が落とされても保持しておくべきデータ、例えば、種々の設定パラメータや機能アップのために提供された新たなプログラムなどを記憶保持する。
【００５４】
［着信時の動作］
そして、ＬＡＮ２を介して送信されてくるパケットデータは、ＬＡＮ接続端子４０１を通じてＬＡＮＩ／Ｆ４０２に供給され、ここで自機において処理可能な形式のデータに変換された後、ＣＰＵバス４３５を介して、パケット処理部４０３に供給される。パケット処理部４０３は、これに供給されたパケットデータに含まれる制御データや音声データを分解して抽出する。ここで抽出された制御データは制御部４３０に供給され、自機の制御に用いられる。また、自機（自端末）宛の音声データが含まれていた場合には、当該音声データは、ＣＰＵバス４３５を通じて通話音声入出力Ｉ／Ｆ４０４に供給されることになる。
【００５５】
パケット処理部４０３において分解されて抽出された制御データが、自機への呼び出しメッセージである場合には、制御部４３０は、リンガ４０７を制御して、着信鳴動させる。同時に、制御部４３０は、ディスプレイコントローラ４１５を制御し、ディスプレイ４１６の表示画面に自機に着信があることを通知するメッセージや発信元の電話番号や名前あるいは発信元の内線番号などを表示する。
【００５６】
そして、自機への着信に応じて、ユーザがハンドセット４４０をＩＰ電話端末４の本体から持ち上げると、オンフック／オフフック検出部４０６により、フックスイッチＳＷがオフになったことが検出され、これが制御部４３０に通知される。これにより、制御部４３０は各部を制御し、当該ＩＰ電話端末４をオフフック状態に遷移させる。この場合、制御部４３０は、着信に応答するメッセージを形成し、これをパケット処理部４０３においてパケット化して、ＬＡＮＩ／Ｆ４０２に供給する。ＬＡＮＩ／Ｆ４０２は、当該パケットデータを送信用のパケットデータに変換し、これをＬＡＮ接続端子４０１を通じてＬＡＮ２に送出し、発呼先の端末に送信するようにする。
【００５７】
これにより、上述したＳＩＰサーバ１を通じて発信元との間に通信路が生成され、通話が開始される。この場合、相手先からの音声データを含むパケットは、上述したように、ＬＡＮ接続端子４０１、ＬＡＮＩ／Ｆ４０２を通じてパケット処理部４０３に供給され、ここで分解されて、制御データは制御部４３０へ、音声データは通話音声入出力Ｉ／Ｆ４０４に供給される。
【００５８】
通話音声入出力Ｉ／Ｆ４０４は、パケット処理部４０３からの音声データから自機のハンドセット４４０のスピーカ（受話器）に供給するアナログ音声信号を形成し、これをハンドセット接続端子４０５を通じてハンドセット４４０のスピーカに供給する。これにより、相手先から送信されてくる相手先の音声が、ハンドセット４４０のスピーカ（受話器）から放音される。
【００５９】
一方、ハンドセット４４０のマイクロホン（送話器）によって集音された音声は、ここで電気信号に変換され、ハンドセット接続端子４０５を通じて通話音声入出力Ｉ／Ｆ４０４に供給される。通話音声入出力Ｉ／Ｆ４０４は、ハンドセット４４０からの音声データをデジタル信号に変換するなどの処理を行って、これをパケット処理部４０３に供給する。パケット処理部４０３は、通話音声入出力Ｉ／Ｆ４０４からの音声データを含む相手先への送信用のパケットを形成し、これをＬＡＮＩ／Ｆ４０２、ＬＡＮ接続端子４０１を通じてＬＡＮ２に送出し、通信の相手先に送信する。このようにして、ＩＰ電話端末４は、自機への着信に応答し、発呼先との間で通信路を生成して通話を行うことができる。
【００６０】
［発呼時の動作］
次に、当該ＩＰ電話端末４から電話をかける場合（発信（発呼）する場合）の処理について説明する。ＩＰ電話端末４から発信する場合には、まず、ハンドセット４４０をＩＰ電話端末４の本体から持ち上げると、オンフック／オフフック検出部４０６により、フックスイッチＳＷがオフになったことが検出され、これが制御部４３０に通知される。これにより、制御部４３０は各部を制御し、当該ＩＰ電話端末４をオフフック状態に遷移させる。この場合、制御部４３０は、まず回線を確保し、操作入力部４０８および操作入力Ｉ／Ｆ４０９を通じて通信の相手先の電話番号、あるいは、内線番号の入力を受け付ける。
【００６１】
この場合、制御部４３０は、発呼メッセージを形成し、これをパケット処理部４０３に供給する。パケット処理部４０３は、自機からの発呼メッセージをパケット化し、これをＬＡＮＩ／Ｆ４０２、ＬＡＮ接続端子４０１を通じてＬＡＮ２に送出し、ＳＩＰサーバ１を通じて目的とする通信の相手先に送信するようにする。
【００６２】
この後、目的とする相手先からの応答が返信されてきた場合に制御部４３０は通信路を生成する。これにより、ＬＡＮ接続端子４０１、ＬＡＮＩ／Ｆ４０２、パケット処理部４０３、通話音声入出力Ｉ／Ｆ４０４、ハンドセット接続端子４０５、ハンドセット４４０からなる通話系の機能により通話を行うことができるようにされる。このように、ＩＰ電話端末４は、自機から目的とする端末に発信して、相手先との間に通信路を接続して通話を行うこともできる。
【００６３】
また、電話帳メモリ４１０には、通信の相手先（電話をかけたり、電話がかかってきたりする可能性のある相手先）の電話番号や名前が電話帳データとして登録される。これにより、電話帳メモリ４１０に登録されている電話帳データから目的とする相手先の電話帳データを選択することにより、当該電話帳データの電話番号を用いて、電話をかけることもできるようにされる。すなわち、携帯電話端末の場合と同様に、電話番号をいちいち入力することなく、登録済みの電話帳データを用いて電話をかけることもできるようにされる。また、当該電話帳データを用いて、自機への着信時に通知される発信元の電話番号に基づいて、発信元の名前を特定して表示するなどのこともできるようにされる。
【００６４】
そして、この実施の形態のＩＰ電話端末４は、電話帳メモリ４１０に相手先の電話番号や名前だけでなく、電子メールアドレスをも対応付けて記憶するようにされている。これにより、詳しくは後述するが、携帯電話端末５から提供される電子メールアドレスに基づいて、目的とする相手先の電話番号を特定することができるようにしている。なお、電話帳メモリ４１０には、相手先の名前（名称）、電話番号、電子メールアドレス、住所、所属先（会社名、部署名等）、備考などの必要とされる種々の情報を登録することもできるが、少なくとも電子メールアドレスと電話番号とが対応付けられて登録されていればよい。
【００６５】
そして、外部端子４１１が、外部機器である携帯電話端末５との接続端部を構成するものであり、データ端子と充電端子とを有するものである。このため、図５に示したように、外部端子４１１には、外部Ｉ／Ｆ４１２と、充電電流供給回路４１３とが接続されている。外部端子４１１に携帯電話端末５などの外部機器が接続されると、外部Ｉ／Ｆ４１２は、当該携帯電話端末５との間で接続時の信号のやり取りをすることにより、携帯電話端末５が接続されたことを検知し、これを制御部４３０に通知する。これにより、制御部４３０は、外部端子４１１を通じて自機に携帯電話端末５が接続されたことを認識することができる。
【００６６】
また、外部Ｉ／Ｆ４１２は、外部端子４１１を通じて供給される携帯電話端末５からのデータを受け付けて、これを自機において処理可能な形式のデータに変換して制御部４３０に供給する。さらに、外部Ｉ／Ｆ４１２は、外部端子４１１に接続された携帯電話端末５に供給する制御部４３０からのデータを出力用の所定の形式のデータに変換して、これを、外部端子４１１を通じて出力する。
【００６７】
充電電流供給回路４１３は、ＡＣコンセント４１４から送られてくる商用交流電圧から直流の充電電流を生成する。そして、充電電流供給回路４１３は、外部Ｉ／Ｆ４１２からの携帯電話端末５がＩＰ電話端末４に接続されたことの検知通知に基づく制御部４３０の制御により駆動状態に制御されて、充電電流を、外部端子を通じて携帯電話端末５に供給する。
【００６８】
このように、この実施の形態のＩＰ電話端末４は、外部端子４１１を通じて携帯電話端末５などの外部機器の接続を可能にし、接続された外部機器との間で情報の送受を行うことができると共に、外部機器に対して電力の供給をも行うことができる。外部機器は、外部端子４１１を通じて供給されるＩＰ電話端末４からの電力を充電電力として用いたり、駆動電力として用いたりすることができる。なお、外部端子４１１、外部Ｉ／Ｆ４１２、充電電流供給回路４１３からなる部分は、ＵＳＢ規格に準拠したものである。
【００６９】
そして、この実施の形態のＩＰ電話端末４は、外部端子４１１を通じて接続される携帯電話端末５と協働するための部分として、電話番号特定部４２１と、発信等処理部４２２と、端末表示制御部４２３とを備える。電話番号特定部４２１は、外部端子４１１を通じて接続された携帯電話端末５から供給される電子メールアドレスに基づいて、電話帳メモリ４１０に記憶されている情報を参照し、電話をかける相手先の電話番号を特定する。発信等処理部４２２は、電話番号特定部４２１において特定された電話番号の相手先に対して発信処理を行う。
【００７０】
これら電話番号特定部４２１と発信等処理部４２２とにより、自機に外部端子４１１を通じて接続されている携帯電話端末５のディスプレイ５２４に電子メール情報が表示されている場合に、その電子メール情報の相手先に簡単に電話をかける機能が実現される。また、端末表示制御部４２３は、自機に外部端子４１１を通じて接続されている携帯電話端末５のディスプレイ５２４への情報の表示を制御する。
【００７１】
また、図５において、二重線で示したパケット処理部４０３、電話番号特定部４２１、発信等処理部４２２、端末表示制御部４２３のそれぞれは、独立した回路部分として示しているが、これに限るものではない。これらの各部の機能は、制御部４３０において実行されるプログラムにより、制御部４３０の機能として実現することも可能である。
【００７２】
［携帯電話端末５の構成例］
次に、この実施の形態の電話システムで用いられる携帯電話端末５の構成について説明する。図６は、この実施の形態の電話システムの携帯電話端末５の構成例を説明するためのブロック図である。
【００７３】
図６に示すように、この実施の形態の携帯電話端末５は、無線通信処理系として、送受信アンテナ５０１、電話通信部５０２、送受信信号処理部５０３、通話音声処理部５０４を備えている。通話音声処理部５０４には、受話アンプ５０５を通じて受話器（スピーカ）５０６が接続され、また、送話器（マイクロホン）５０７が、送話アンプ５０８を通じて接続されている。
【００７４】
また、携帯電話端末５は、電話帳メモリ５１０を備えると共に、自機が接続されたＩＰ電話端末４との連携を実現する部分として、メール情報通知処理部５１１および表示情報処理部５１２を備えている。また、携帯電話端末５は、ユーザインターフェースを構成する部分として、操作入力部５２１、操作入力Ｉ／Ｆ５２２、ディスプレイコントローラ５２３、ディスプレイ５２４、リンガ５２５を備えている。なお、図示しないが、携帯電話端末５には、着信などを通知するためのバイブレータなども設けられている。さらに、携帯電話端末５は、外部端子５３１、外部Ｉ／Ｆ５３２、充電回路５３３、バッテリ５３４を備えると共に、携帯電話端末５の各部を制御する制御部５４０を備えている。
【００７５】
制御部５４０は、ＣＰＵ５４１、ＲＯＭ５４２、ＲＡＭ５４３、ＥＥＰＲＯＭ５４４が、ＣＰＵバス５４５を通じて接続されて形成されたマイクロコンピュータである。ここで、ＣＰＵ５４１は、ＲＯＭ５４２に記憶されているプログラムを読み出して実行し、各部に供給する制御信号を形成して、これを各部に供給したり、各部から送信されてくるデータを受け付けて、これに応じた処理を実行したりする。ＲＯＭ５４２は、ＣＰＵ５４１において実行されるプログラムや処理に必要になる種々のデータが予め記録されたものである。
【００７６】
また、ＲＡＭ５４３は、処理の途中結果を一時記憶するなど、主に作業領域として用いられるものである。また、ＥＥＰＲＯＭ５４４は、いわゆる不揮発性メモリであり、携帯電話端末５の電源を落としても保持しておくべきデータ等が記憶保持される。ＥＥＰＲＯＭ５４４には、例えば、種々の設定パラメータ、アプリケーションプログラムや機能アップのための追加プログラムなどが記憶保持される。
【００７７】
送受信アンテナ５０１は、携帯電話網との間でデータを送受する端部である。電話通信部５０２は、携帯電話網の基地局を通じて相手と通信をするためのものである。送受信信号処理部５０３は、制御部５４０の制御の下、電話通信部５０２を通じて受信した通信情報を解析して、呼制御メッセージや通話信号をデコードし、制御部５４０に供給すると共に、電話通信部５０２を通じて送信する送信信号を生成する。
【００７８】
通話音声処理部５０４は、制御部５４０の制御の下、送受信信号処理部５０３からの受話音声情報を、デジタル信号からアナログ信号に変換し、受話アンプ５０５に供給する。受話アンプ５０５に供給された受話音声信号は、ここで増幅された後に受話器５０６に供給されて音響再生される。通話音声処理部５０４は、また、送話器５０７で収音され、送話アンプ５０８で増幅された送話音声信号を、アナログ信号からデジタル信号に変換して、制御部５４０の制御の下、送受信信号処理部５０３に供給する。そして、上述したように、送受信信号処理部５０３は、通話音声処理部５０４からのデジタル化された送話音声信号から送信する送信信号を生成し、これを電話通信部５０２に供給して送信するようにする。
【００７９】
操作入力部５２１は、数字キー、オフフックキー、オンフックキー、その他の各種のファンクションキー等が設けられ、ユーザからの操作入力を受け付ける部分である。操作入力部５２１を通じて受け付けられたユーザからの操作入力は、操作入力Ｉ／Ｆ５２２において電気信号に変換されて、制御部５４０に通知される。これにより、制御部５４０が操作入力Ｉ／Ｆ５２２からの信号に応じて各部を制御することにより、ユーザの指示に応じて処理を行うことができるようにされる。
【００８０】
ディスプレイコントローラ５２３は、制御部５４０の制御に応じてディスプレイ５２４に情報を表示するための表示用信号を形成し、これをディスプレイ５２４に供給する。これによりディスプレイ５２４には、種々の情報が表示される。例えば、着信時においては、発信元の電話番号や名前、発信時においては、後述する電話帳メモリ５１０に登録されている電話帳データ等が表示される。この他、待ち受け時においては、所定の待ち受け画面をディスプレイ５２４に表示したり、各種のエラーメッセージやガイダンスメッセージなども表示したりすることもできるようにされる。
【００８１】
外部端子５３１は、ＩＰ電話端末４との接続端部を構成するものであり、データ端子と充電端子とを有するものである。このため、図６に示したように、外部端子５３１には、外部Ｉ／Ｆ５３２と、充電回路５３３とが接続されている。
【００８２】
外部Ｉ／Ｆ５３２は、外部端子５３１を通じて接続されたＩＰ電話端末４との間でデータを送受するためのものである。外部端子５３１にＩＰ電話端末４が接続されると、外部Ｉ／Ｆ５３２は、当該ＩＰ電話端末４との間で接続時の信号のやり取りをすることにより、ＩＰ電話端末４に接続されたことを検知し、制御部５４０に通知する。これにより、制御部５４０は、外部端子５３１を通じて自機がＩＰ電話端末４に接続されたことを認識することができる。
【００８３】
また、外部Ｉ／Ｆ５３２は、外部端子５３１を通じて供給されるＩＰ電話端末４からのデータを受け付けて、これを自機において処理可能な形式のデータに変換して制御部５４０に供給する。また、外部Ｉ／Ｆ５３２は、外部端子５３１に接続されたＩＰ電話端末４に供給する制御部５４０からのデータを出力用の所定の形式のデータに変換して、これを外部端子５３１を通じて出力する。
【００８４】
充電回路５３３は、外部端子５３１の充電端子を通じてＩＰ電話端末４から送られてくる充電電流からバッテリに供給する電流を生成する。そして、充電回路５３３は、外部Ｉ／Ｆ５３２からのＩＰ電話端末４に接続されたことの検知通知に基づく制御部５４０の制御により駆動状態に制御されて、充電用に生成した電流をバッテリ５３４に供給する。これにより携帯電話端末５のバッテリ５３４の充電が行われる。これら外部端子５３１、外部Ｉ／Ｆ５３２、充電回路５３３からなる部分は、ＵＳＢ規格に準拠したものである。また、ＩＰ電話端末４からの電流を駆動電流として用いるようにすることもできる。
【００８５】
そして、携帯電話端末５が外部端子５３１を通じてＩＰ電話端末４に接続されている場合に、ディスプレイ５２４に電子メール情報が表示されたとする。電子メール情報のディスプレイ５２４への表示は、操作入力部５２１を通じて受け付けたユーザからの指示入力に応じて、制御部５４０がディスプレイコントローラ５２３を制御して行う。このように携帯電話端末５に電子メール情報が表示されているときに、ＩＰ電話端末４が発信操作を受け付けると、携帯電話端末５とＩＰ電話端末４とが協働して、表示されている電子メール情報の相手先に自動的に電話をかけることができるようにしている。
【００８６】
この場合の第１の方法として、制御部５４０の制御の下、メール情報通知処理部５１１は、表示されている電子メール情報に含まれる情報から電話をかける相手先の電子メールアドレスを取得し、これをＩＰ電話端末４に通知するというものがある。この場合、メール情報通知処理部５１１は、電子メール情報に含まれる送信元、宛先、ＣＣ（Carbon Copy）、ＢＣＣ（Blind Carbon Copy）の電子メールアドレスの内、携帯電話端末５のユーザの電子メールアドレスとは異なる電子メールアドレスを取得して通知する。なお、携帯電話端末５のユーザの電子メールアドレスは、例えば、ＥＥＰＲＯＭ５４４などの所定のメモリに予め登録するようにされているものである。
【００８７】
これにより、携帯電話端末５からＩＰ電話端末４に対して、当該携帯電話端末５のユーザ以外の電子メールアドレスを通知することができる。そして、ＩＰ電話端末４では、オフフック操作（発信操作）が行われた場合に、通知された相手先の電子メールアドレスに基づいて、自機の電話帳メモリ４１０の情報を参照することにより、当該相手先の電話番号を特定する。そして、ＩＰ電話端末４は、特定した電話番号を用いて自動発信することができるようにされる。この場合に、携帯電話端末５においては、ＩＰ電話端末４からの通信の状態通知に基づいて、表示情報処理部５１２が機能し、「発信中」、「通話中」などの現在の通信の状態を携帯電話端末５のディスプレイ５２４に表示することもできるようにされる。
【００８８】
また、携帯電話端末５も電話帳メモリ５１０を備えている。電話帳メモリ５１０には、通信の相手先（電話をかけたり、電話がかかってきたりする可能性のある相手先や電子メールの送信元や送信先となる相手先）の電話番号、名前、電子メールアドレス、住所、会社名といった種々の情報からなる電話帳データが多数記録されている。この電話帳メモリ５１０の電話帳データは、通常、目的とする相手先に電話をかける場合に用いたり、電話がかかってきたときに当該相手先の名前などを通知される電話番号に基づいて表示したりする場合に用いられる。
【００８９】
そこで、第２の方法として、表示されている電子メール情報に含まれる送信元や宛先などの相手先の電子メールアドレスに基づいて、メール情報通知処理部５１１が電話帳メモリ５１０から対応する電話番号を取得し、これをＩＰ電話端末４に提供することもできる。このように、携帯電話端末５からＩＰ電話端末４に対して電子メール情報に応じた電話番号の提供を行う場合には、当該ＩＰ電話端末４からのオフフック操作（発信操作）が行われたことの通知に応じて行う。このようにした場合には、ＩＰ電話端末４側で相手先の電話番号を特定する処理を行う必要がなくなる。
【００９０】
なお、図６において、二重線で示したメール情報通知処理部５１１、表示情報処理部５１２とは、それぞれ独立した回路部分として示しているが、これに限るものではない。メール情報通知処理部５１１、表示情報処理部５１２のそれぞれは、制御部５４０において実行されるプログラムにより、制御部５４０の機能として実現することももちろん可能である。
【００９１】
［第１の実施の形態の電話システムの動作（処理）］
次に、この第１の実施の形態の電話システムにおいて、ＩＰ電話端末４に対して携帯電話端末５が接続されている場合であって、携帯電話端末５のディスプレイ５２４に電子メール情報が表示されている場合の発信時の動作について具体的に説明する。
【００９２】
なお、上述したように、この実施の形態の電話システムは、上述したように、携帯電話端末５に表示されている電子メール情報の相手先であって、自分（携帯電話端末５のユーザ）以外の相手先に電話をかけることができる。すなわち、電話をかける相手先は、送信元、宛先だけでなく、いわゆるＣＣやＢＣＣに指定された相手先も含められる。しかし、以下においては、説明を簡単にするため、まず、ＩＰ電話端末４に接続された携帯電話端末５から送信した電子メールが当該携帯電話端末５に表示されている場合であって、その電子メールの宛先に電話をかける場合を例にして具体的に説明する。
【００９３】
［電話システムの動作（処理）の第１の例］
まず、ＩＰ電話端末４が、携帯電話端末５から提供される電子メールアドレスに基づいて電話をかける相手先の電話番号を特定し、電話をかける場合について説明する。図７は、この第１の実施の形態の電話システムにおいて、表示された電子メール情報の相手先に電話をかける場合の動作（処理）の第１の例（第１の方法）について説明するためのシーケンス図である。また、図８は、携帯電話端末５に表示される電子メール情報の一例と表示の遷移について説明するための図である。
【００９４】
この電話システムにおいては、上述もしたように、ＩＰ電話端末４と携帯電話端末５とは、ＵＳＢケーブル８を用いて接続される。そして、携帯電話端末５の制御部５４０は、外部端子５３１及び外部Ｉ／Ｆ５３２を通じてＩＰ電話端末４と通信を行うことにより、自機がＩＰ電話端末４に接続されたことを検知する（ステップＳ１）。同様に、ＩＰ電話端末４の制御部４３０は、外部端子４１１及び外部Ｉ／Ｆ４１２を通じて携帯電話端末５と通信を行うことにより、自機に携帯電話端末５が接続されたことを検知する（ステップＳ２）。
【００９５】
これ以降、ＩＰ電話端末４と携帯電話端末５とは、ＩＰ電話端末４の外部端子４１１および外部Ｉ／Ｆ４１２と、携帯電話端末５の外部端子５３１および外部Ｉ／Ｆ５３２と、ＵＳＢケーブル８とを通じて、データの送受を行うことができるようにされる。
【００９６】
この後、携帯電話端末５が、操作入力部５２１および操作入力Ｉ／Ｆ５２２を通じて、電子メールの作成／閲覧ソフトウェアである所定のメーラーの起動指示を受け付けると、制御部５４０は、メーラーをＲＯＭ５４２から読み出して実行する（ステップＳ３）。このステップＳ３において制御部５４０は、メーラーが起動されたことを接続先であるＩＰ電話端末４に通知する。この場合、ユーザが電子メールの閲覧を目的としていることを前提とすると、ＩＰ電話端末４への当該通知はメール閲覧開始通知である。
【００９７】
ＩＰ電話端末４は、携帯電話端末５からのメーラーが起動されたことの通知を受信すると、メール閲覧開始通知を受信したことを示す応答（２００  ＯＫ）を携帯電話端末５に返信する（ステップＳ４）。そして、携帯電話端末５が、操作入力部５２１および操作入力Ｉ／Ｆ５２２を通じて、目的とする電子メール情報を表示する指示入力を受け付けたとする。この場合、携帯電話端末５においては、制御部５４０とメール情報通知処理部５１１とが機能し、電子メールの表示と電子メールアドレスの通知とを行う（ステップＳ５）。
【００９８】
ステップＳ５で行われる電子メール情報の表示は、制御部５４０が、指示された電子メール情報を蓄積場所である例えばＥＥＰＲＯＭ５４４から読み出して、これをディスプレイコントローラ５２３を通じてディスプレイ５２４の表示画面に表示する処理である。また、電子メールアドレスの通知は、制御部５４０の制御の下、メール情報通知処理部５１１が、表示された電子メール情報から、電話をかける相手先の電子メールアドレスを抽出し、これをＩＰ電話端末４に通知する処理である。
【００９９】
この場合、携帯電話端末５のディスプレイ５２４の表示画面には、図８Ａに示すように、電子メール情報が表示される。図８Ａに示した例の場合には、送信者、日時（送信日時）、宛先、ＣＣ、件名、電子メール本文からなる電子メール情報が表示される。ここで、宛先やＣＣなどは、相手先の名前（名称）を表示しているが、対応する電子メールアドレスも把握されている。すなわち、電子メール情報の全ての情報は、ＲＡＭ５４３やＥＥＰＲＯＭ５４４に保持されており、これに応じて必要な情報がディスプレイ５２４へ表示するようにされている。
【０１００】
そして、上述したように、この例において携帯電話端末５のディスプレイ５２４に表示された電子メール情報は、当該携帯電話端末５から送信したものであり、送信元の電子メールアドレスは、携帯電話端末５のユーザのものである。このため、メール情報通知処理部５１１は、自機のユーザの電子メールアドレスとは異なる宛先である「第一営業部タナカ」さんの電子メールアドレスを、電話をかける相手先の電子メールアドレスとして抽出し、これをＩＰ電話端末４に通知する。このように、携帯電話端末５からＩＰ電話端末４に通知される電話をかける相手先の電子メールアドレスが、携帯電話端末５からＩＰ電話端末４への閲覧メール情報となる。
【０１０１】
一方、閲覧メール情報が通知されたＩＰ電話端末４の制御部４３０は、携帯電話端末５からの閲覧メール情報（電話をかける相手先の電子メールアドレス）を、ＲＡＭ４３３に一時記憶する。そして、ＩＰ電話端末４の制御部４３０は、携帯電話端末５からの閲覧メール情報を解析し、電子メールアドレスを適切に受信したと判別したときには、応答（２００  ＯＫ）を携帯電話端末５に返信する（ステップＳ６）。なお、電子メールアドレスで適切に受信できなかった場合などにおいては、ＩＰ電話端末４は携帯電話端末５に対して電子メールアドレスの再送を要求し、再送を受けることもできる。
【０１０２】
ＩＰ電話端末４において、携帯電話端末５からの閲覧メール情報（電話をかける相手先の電子メールアドレス）の提供を受けた後、ハンドセット４４０がＩＰ電話端末４の本体から取り上げられる操作（オフフック操作）が行われたとする（ステップＳ７）。このステップＳ７の操作は、オフフックキー（発信ボタン）などを押下する発信操作であってもよい。
【０１０３】
オフフック操作が行われたことは、オンフック／オフフック検出部４０６により検出され、制御部４３０に通知される。この場合、ＩＰ電話端末４の制御部４３０は、電子メールの相手先の電話番号の特定と特定した電話番号への発信を行うと共に、発信中であることの携帯電話端末５への通知を行う（ステップＳ８）。すなわち、ステップＳ８においては、まず、制御部４３０の制御の下、電話番号特定部４２１が携帯電話端末５から通知された電子メールアドレス（閲覧メール情報）に基づいて、電話帳メモリ４１０のデータを参照し、電話をかける相手先の電話番号を特定する。次に、制御部４３０の制御の下、発信等処理部４２２が電話番号特定部４２１により特定された電話番号の相手先に発信する発信処理を実行する。
【０１０４】
これにより、発信等処理部４２２において、発信要求が形成され、これが制御部４３０、ＬＡＮＩ／Ｆ４０２、ＬＡＮ接続端子４０１を通じてＳＩＰサーバ１に送信される。そして、ＳＩＰサーバ１は、ＩＰ電話端末４からの発信要求に応じて、電話をかける相手先を特定するようにし、当該電話をかける相手先に対して発信メッセージを送信する（ステップＳ９）。
【０１０５】
そして、ステップＳ８において次には、制御部４３０の制御の下、端末表示制御部４２３が、発信情報通知を形成し、これを携帯電話端末５に提供する。当該発信情報通知は、現在、発信中であることを通知すると共に、携帯電話端末５に対して発信中であることの表示を行うことを指示するものである。
【０１０６】
ＩＰ電話端末４からの発信情報通知を受け付けた携帯電話端末５は、表示情報処理部５１２が制御部５４０を通じてディスプレイコントローラ５２３を制御して、ディスプレイ５２４の表示画面の表示を発信中表示にする（ステップＳ１０）。この例の場合、図８Ｂに示すように、電話をかけた相手先の表示である、宛先欄の「第一営業部タナカ」という表示が点滅表示される。
【０１０７】
そして、着信先の「第一営業部タナカ」さんが、着信のある自己の電話端末に対して、着信に応答する操作（オフフック操作）を行うことにより、当該電話端末から着信応答がＳＩＰサーバ１に返信されてくる（ステップＳ１１）。当該着信応答は、ＳＩＰサーバ１を通じて発信元のＩＰ電話端末４に通知される（ステップＳ１２）。これにより、ＳＩＰサーバ１を介して、発信元のＩＰ電話端末４と着信先の「第一営業部タナカ」さんの電話端末との間に通信路が接続され、通話を行うことができるようにされる（ステップＳ１３）。
【０１０８】
このようにして通信路が接続されて通話が行うようにされると、ＩＰ電話端末４の端末表示制御部４２３が、制御部４３０の制御の下、通話情報通知を形成し、これを携帯電話端末５に提供する（ステップＳ１４）。当該通話情報通知は、現在、通話中であることを通知すると共に、携帯電話端末５に対して通話中であることの表示を行うことを指示するものである。
【０１０９】
ＩＰ電話端末４からの通話情報通知を受け付けた携帯電話端末５は、表示情報処理部５１２が制御部５４０を通じてディスプレイコントローラ５２３を制御して、ディスプレイ５２４の表示画面の表示を通話中表示にする（ステップＳ１５）。この例の場合、表示情報処理部５１２が機能し、図８Ｃに示すように、電話をかけた相手先の表示である、宛先欄の「第一営業部タナカ」という表示が拡大ボールド文字により表示するようにされる。さらに当該部分をハイライト表示したり、反転表示したりするなど、より目立つようにしてもよい。
【０１１０】
この後、通話が終了し、ＩＰ電話端末４のユーザがハンドセット４４０をＩＰ電話端末４の本体に戻すオンフック操作を行ったとする（ステップＳ１６）。この場合、ＩＰ電話端末４の制御部４３０は、まず、切断要求を形成して、これを、ＬＡＮＩ／Ｆ４０２、ＬＡＮ接続端子４０１を通じてＳＩＰサーバ１に送信する（ステップＳ１７）。ＳＩＰサーバ１は、ＩＰ電話端末４からの切断要求に応じて、当該ＩＰ電話端末４との間に接続していた通信路を切断するようにする（ステップＳ１８）。
【０１１１】
この後、端末表示制御部４２３が、終話情報通知を形成し、これを携帯電話端末５に提供する（ステップＳ１９）。当該終話情報通知は、通信路が切断されたことを通知すると共に、通常の表示戻すことを要求するものである。
【０１１２】
ＩＰ電話端末４からの終話情報通知を受け付けた携帯電話端末５は、表示情報処理部５１２が制御部５４０を通じてディスプレイコントローラ５２３を制御して、ディスプレイ５２４の表示画面の表示を通常表示に戻す（ステップＳ２０）。ここで、通常表示は、図８Ａに示したように、電子メール情報の通常の表示を意味する。これにより、携帯電話端末５の電子メール情報の表示が、通常表示（図８Ａ）に戻ったことによっても、ユーザは通話が終了したことを認識することができる。
【０１１３】
なお、電話をかけた相手先が先にオンフック操作した場合には、ＩＰ電話端末４には例えばビジートーンが供給されるなど、相手先がオンフックしたことが通知される。このため、ＩＰ電話端末４のユーザもオンフック操作することにより、ＩＰ電話端末４側においても通信路を解放し、ステップＳ１９、ステップＳ２０の処理を行うことによって、携帯電話端末５の表示も通常表示に戻すことができる。
【０１１４】
このように、ユーザは、ＩＰ電話端末４に接続した携帯電話端末５のディスプレイ５２４に電子メール情報を表示して確認しながら、オフフック操作などの極めて直感的で簡単な発信操作を行うだけで、当該電子メール情報の相手先に電話をかけることができる。この第１の例の場合には、携帯電話端末５から電話をかける相手先の電子メールアドレスの提供を受けて、ＩＰ電話端末４側で電話番号を特定し、電話をかけることができるようにされる。
【０１１５】
［電話システムの動作（処理）の第２の例］
次に、携帯電話端末５に表示している電子メール情報に応じて、携帯電話端末５において電話をかける相手先の電話番号まで特定し、この特定した電話番号をＩＰ電話端末４に通知して電話をかける場合について説明する。つまり、以下に説明する第２の例（第２の方法）は、携帯電話端末５に備えられている電話帳データを利用するものである。
【０１１６】
図９は、この第１の実施の形態の電話システムにおいて、表示された電子メール情報の相手先に電話をかける場合の動作（処理）の第２の例について説明するためのシーケンス図である。図９において、上述した図７に示した処理と同様に行われる部分には、同一の参照符号を付し、その部分の詳細な説明は省略する。
【０１１７】
この第２の例の場合にも、ＩＰ電話端末４と携帯電話端末５との接続は、図７を用いて上述した第１の例のステップＳ１、ステップＳ２の場合と同様に行われる。これにより、ＩＰ電話端末４の外部端子４１１と携帯電話端末５の外部端子５３１とがＵＳＢケーブル８により接続され、ＩＰ電話端末４と携帯電話端末５とは、相互にデータの送受を行うことができるようにされる。
【０１１８】
この後、携帯電話端末５が、操作入力部５２１および操作入力Ｉ／Ｆ５２２を通じて、電子メールの作成／閲覧ソフトウェアである所定のメーラーの起動指示を受け付けると、制御部５４０は、メーラーをＲＯＭ５４２から読み出して実行する（ステップＳ３１）。そして、携帯電話端末５が、操作入力部５２１および操作入力Ｉ／Ｆ５２２を通じて、目的とする電子メール情報を表示する指示入力を受け付けたとする。この場合、携帯電話端末５においては、制御部５４０とメール情報通知処理部５１１とが機能し、電子メールの表示を行う（ステップＳ３２）。これらステップＳ３１、ステップＳ３２においては、携帯電話端末５とＩＰ電話端末４とが通信を行うことはない。
【０１１９】
この後、携帯電話端末５のディスプレイ５２４の表示画面に表示された電子メールの相手先に電話をかけるために、ＩＰ電話端末４のハンドセット４４０がＩＰ電話端末４の本体から取り上げられる操作（オフフック操作）が行われたとする（ステップＳ３３）。このステップＳ３３の操作は、オフフックキー（発信ボタン）などを押下する発信操作であってもよい。
【０１２０】
オフフック操作が行われたことは、オンフック／オフフック検出部４０６により検出され、制御部４３０に通知される。この場合、ＩＰ電話端末４の制御部４３０は、携帯電話端末５のディスプレイ５２４に表示されている電子メール情報に関係する相手先であって、電話をかける相手先の電話番号の提供を要求する（ステップＳ３４）。このステップＳ３４の処理は、表示された電子メール情報に関する情報の提供要求であり、閲覧メール情報の要求に相当する。
【０１２１】
閲覧メール情報の要求の提供を受けた携帯電話端末５においては、制御部５４０の制御の下、メール情報通知処理部５１１が、表示されている電子メール情報に応じて、電話をかける相手先の電話番号を特定し、これをＩＰ電話端末４に送信する（ステップＳ３５）。上述したように、この例においても携帯電話端末５のディスプレイ５２４に表示された電子メール情報は、当該携帯電話端末５から送信したものであり、送信元の電子メールアドレスは、携帯電話端末５のユーザのものである。
【０１２２】
このため、メール情報通知処理部５１１は、自機のユーザの電子メールアドレスとは異なる宛先である「第一営業部タナカ」さんの電子メールアドレスを、電話をかける相手先の電子メールアドレスとして抽出する。そして、メール情報通知処理部５１１は、抽出した「第一営業部タナカ」さんの電子メールアドレスに基づいて、自機の電話帳メモリ５１０のデータを参照し、「第一営業部タナカ」さんの電話番号を取得して、これをＩＰ電話端末４に提供する。
【０１２３】
このように、（１）電話をかける相手先の電子メールアドレスの抽出、（２）抽出した電子メールアドレスに基づく電話をかける相手先の電話番号の特定、（３）特定した電話番号のＩＰ電話端末４への提供という処理が、ステップＳ３５において行われる。そして、電話をかける相手先の電話番号は、表示されている電子メール情報に応じて特定された情報であり、携帯電話端末５からＩＰ電話端末４への閲覧メール情報である。
【０１２４】
この後、携帯電話端末５からの電話番号の提供を受けたＩＰ電話端末４は、提供を受けた電話番号をＲＡＭ４３３に一時記憶し、これを解析する処理（閲覧メール情報解析）を行う（ステップＳ３６）。この閲覧メール情報解析処理において、適正に電話番号の提供を受けたことが確認できた場合には、応答（２００  ＯＫ）を携帯電話端末５に送信する。なお、携帯電話端末５から電話番号が提供されなかった場合などには、電話番号の再送信を要求し、携帯電話端末５から電話をかける相手先の電話番号の再送を受けるようにすることができる。
【０１２５】
この後、ＩＰ電話端末４の制御部４３０は、提供された電子メールの相手先の電話番号への発信を行うと共に、発信中であることの携帯電話端末５への通知をも行う（ステップＳ８Ａ）。このステップＳ８Ａの処理は、ＩＰ電話端末４において、電話番号を特定することがない点を除けば、図７に示したステップＳ８の処理と同様に行われる処理である。このステップＳ８Ａ以降の処理（ステップＳ９〜ステップＳ２０の処理）は、図７を用いて説明した対応する処理と同様に行われる。
【０１２６】
このように、ユーザは、ＩＰ電話端末４に接続した携帯電話端末５のディスプレイ５２４に電子メール情報を表示して確認しながら、オフフック操作などの極めて直感的で簡単な発信操作を行うだけで、当該電子メール情報の相手先に電話をかけることができる。しかも、この第２の例の場合には、ＩＰ電話端末４側に電話帳データを記憶保持しておく必要はなく、携帯電話端末５の電話帳メモリ５１０の電話帳データをＩＰ電話端末４においても用いることができる。
【０１２７】
［第２の実施の形態］
この第２の実施の形態の電話システムにおいても、ＩＰ電話端末４Ａと携帯電話端末５ＡとがＵＳＢケーブルによって接続可能に構成される。しかし、発信処理や終話処理などの電話端末としての基本的な処理を、ＩＰ電話端末４Ａに接続される携帯電話端末５Ａ側で行うようにしている。これにより、ＩＰ電話端末４Ａの構成を簡単にし、ＩＰ電話端末４Ａと携帯電話端末５Ａとを接続することによって、ＳＩＰサーバ１の配下のＩＰ電話端末として機能することができるようにしている。
【０１２８】
したがって、この第２の実施の形態の電話システムもまた、その基本的な構成は、図１を用いて説明した第１の実施の形態の電話システムの場合と同様の構成を有する。すなわち、この第２の実施の形態の電話システムもまた、ＳＩＰサーバ１に対してＬＡＮ２を通じて複数のＩＰ電話端末４Ａが接続され、各ＩＰ電話端末４Ａに対して携帯電話端末５Ａが接続可能に構成されるものである。
【０１２９】
しかし、この第２の実施の形態のＩＰ電話端末４Ａは、上述したように、第１の実施の形態のＩＰ電話端末４に比べて、その構成が簡単にされたものである。また、携帯電話端末５は、ＩＰ電話端末４Ａを通じた発信処理等を行うことができるなど、機能の強化が図られたものである。なお、ＳＩＰサーバ１自体の構成は上述した第１の実施の形態のＳＩＰサーバ１と同様のものである。
【０１３０】
［ＩＰ電話端末４Ａの構成例］
まず、第２の実施の形態の電話システムで用いられるＩＰ電話端末４Ａの構成について説明する。図１０は、この第２の実施の形態のＩＰ電話端末４Ａの構成例を説明するためのブロック図である。図１０において、図５に示した第１の実施の形態の電話システムのＩＰ電話端末４と同様に構成される部分には、同じ参照符号を付し、その部分の詳細な説明は省略する。
【０１３１】
図１０と図５とを比較すると分かるように、図１０に示した第２の実施の形態のＩＰ電話端末４Ａは、図５に示した第１の実施の形態のＩＰ電話端末４に比べてその構成が簡略化されたものである。具体的には、ＩＰ電話端末４Ａは、ＩＰ電話端末４が備えていた操作入力部４０８、操作入力Ｉ／Ｆ４０９、ディスプレイコントローラ４１５、ディスプレイ４１６、電話帳メモリ４１０、電話番号特定部４２１、発信等処理部４２２を備えないものである。これら以外の部分は、ＩＰ電話端末４ＡとＩＰ電話端末４とは同様に構成されている。
【０１３２】
この第２の実施の形態においては、ＩＰ電話端末４Ａと携帯電話端末５Ａとが接続されて、ＳＩＰサーバ１の配下のＩＰ電話端末として機能することができるようにされる。そして、通話自体は、ＩＰ電話端末４Ａのハンドセット４４０を通じて行うが、発信処理、通話路の接続制御、終話処理などの電話端末としての基本的な処理は、携帯電話端末５Ａが主体となって実現する。また、携帯電話端末５Ａは、ハンドセット４４０以外の操作入力部や表示部としてのユーザインターフェースとしての機能も実現する。
【０１３３】
［携帯電話端末５Ａの構成例］
次に、第２の実施の形態の電話システムで用いられる携帯電話端末５Ａの構成について説明する。図１１は、この第２の実施の形態の携帯電話端末５Ａの構成例を説明するためのブロック図である。図１１において、図６に示した第１の実施の形態の電話システムの携帯電話端末５と同様に構成される部分には、同じ参照符号を付し、その部分の詳細な説明は省略する。
【０１３４】
図１１と図６とを比較すると分かるように、図１１に示した第２の実施の形態の携帯電話端末５Ａは、発信等処理部５１３が設けられている点を除けば、図６に示した第１の実施の形態の携帯電話端末５と同様に構成される。そして、携帯電話端末５Ａのディスプレイ５２４に電子メール情報が表示されているときに、ＩＰ電話端末４Ａにおいてオフフックする操作が行われたとする。
【０１３５】
この場合、携帯電話端末５Ａのメール情報通知処理部５１１が、表示されている電子メール情報に基づいて、電話をかける相手先の電話番号を特定して、これを発信等処理部５１３に通知する。そして、発信等処理部５１３が提供された電話番号を用いて発信処理を行い、ＩＰ電話端末４Ａ、ＳＩＰサーバ１を通じて発信することができるようにしている。
【０１３６】
なお、図１１に示した携帯電話端末５Ａにおいて、発信等処理部５１３の機能もまた、制御部５４０において実行されるプログラムにより、制御部５４０の機能として実現することも可能である。
【０１３７】
［第２の実施の形態の電話システムの動作（処理）］
次に、この第２の実施の形態の電話システムの動作（処理）について具体的に説明する。この第２の実施の形態の電話システムの場合にも、ＩＰ電話端末４Ａに接続された携帯電話端末５Ａから送信した電子メールが当該携帯電話端末５Ａに表示されている場合であって、その電子メールの宛先に電話をかける場合を例にして具体的に説明する。
【０１３８】
図１２は、表示された電子メール情報の相手先に電話をかける場合の第２の実施の形態の動作（処理）について説明するためのシーケンス図である。図１２において、上述した第１の実施の形態の図７、図９に示した処理と同様に行われる部分には、同じ参照符号を付し、その部分の詳細な説明は省略する。
【０１３９】
この第２の実施の形態の電話システムの場合にも、ＩＰ電話端末４Ａと携帯電話端末５Ａとの接続は、図７を用いて上述した第１の実施の形態の第１、第２の例のステップＳ１、ステップＳ２の場合と同様に行われる。これにより、ＩＰ電話端末４Ａの外部端子４１１と携帯電話端末５Ａの外部端子５３１とがＵＳＢケーブル８により接続され、ＩＰ電話端末４Ａと携帯電話端末５Ａとは、相互にデータの送受を行うことができるようにされる。これにより、ＩＰ電話端末４Ａと携帯電話端末５Ａとによって、ＳＩＰサーバ１の配下の電話端末が構成される。
【０１４０】
この後、携帯電話端末５Ａの操作入力部５２１および操作入力Ｉ／Ｆ５２２を通じて受け付けられるユーザからの操作入力に応じて、図９を用いて上述した第１の実施の形態の第２の例のステップＳ３１、ステップＳ３２の場合と同様の処理が行われる。すなわち、携帯電話端末５Ａにおいて、メーラーの起動処理（ステップＳ３１）と電子メールの表示処理（ステップＳ３２）が実行される。ステップＳ３２までの処理により、携帯電話端末５Ａのディスプレイ５２４の表示画面には、例えば、図８Ａに示したように携帯電話端末５Ａから送信した電子メール情報が表示される。
【０１４１】
この後、携帯電話端末５Ａのディスプレイ５２４の表示画面に表示された電子メール情報の相手先に電話をかけるために、ＩＰ電話端末４Ａのハンドセット４４０がＩＰ電話端末４Ａの本体から取り上げられる操作（オフフック操作）が行われたとする（ステップＳ４１）。このステップＳ４１の操作は、オフフックキー（発信ボタン）などを押下する発信操作であってもよい。オフフック操作が行われたことは、オンフック／オフフック検出部４０６により検出され、制御部４３０に通知される。この場合、ＩＰ電話端末４Ａの制御部４３０は、オフフック操作されたことを携帯電話端末５Ａに通知するためのオフフック情報を形成し、これを携帯電話端末５Ａに通知する。
【０１４２】
オフフック情報通知を受け付けた携帯電話端末５Ａにおいては、制御部５４０の制御の下、メール情報通知処理部５１１、発信等処理部５１３、表示情報処理部５１２が機能し、電話をかける相手先の特定及び発信処理と発信中表示処理とを実行する（ステップＳ４２）。具体的に、ステップＳ４２において、メール情報通知処理部５１１は、送信者と宛先の電子メールアドレスの内、例えばＥＥＰＲＯＭ５４４に予め登録されている携帯電話端末５Ａのユーザの電子メールアドレス（自電子メールアドレス）とは異なるものを抽出する。
【０１４３】
ここで抽出された電子メールアドレスが、表示された電子メール情報に応じて、電話をかける相手先のものである。この第２の実施の形態においても、表示された電子メール情報は当該携帯電話端末５Ａから送信した電子メール情報である。このため、電話をかける相手先は、宛先の「第一営業部タナカ」さんとなり、当該宛先の「第一営業部タナカ」さんの電子メールアドレスが抽出される。
【０１４４】
そして、メール情報通知処理部５１１は、抽出した電子メールアドレスに基づいて、制御部５４０を通じて電話帳メモリ５１０の情報を参照し、電話をかける相手先の電話番号を特定する。この特定した電話番号を自機の発信等処理部５１３に供給する。発信等処理部５１３は、供給された電話番号を用いた発信要求（発信メッセージ）を形成し、これをＩＰ電話端末４Ａに送信する。このようにして、発信処理自体を携帯電話端末５Ａが実行する。
【０１４５】
さらに、ステップＳ４２の処理において、携帯電話端末５Ａの表示情報処理部５１２は、制御部５４０を通じてディスプレイコントローラ５２３を制御し、発信中表示をディスプレイ５２４の表示画面に行う。具体的には、図８Ｂに示したように、この例の電話をかける相手先である「第一営業部タナカ」さんの表示が点滅するようにされる。このようにして、発信中表示処理も携帯電話端末５Ａにおいて行われる。
【０１４６】
このように、ステップＳ４２においては、（１）電話をかける相手先の電子メールアドレスの抽出、（２）抽出した電子メールアドレスに基づく電話をかける相手先の電話番号の特定、（３）特定した電話番号に応じた発信処理、（４）発信中表示処理が行われる。
【０１４７】
一方、当該発信要求を受信したＩＰ電話端末４Ａの制御部４３０は、当該発信要求をＬＡＮＩ／Ｆ４０２、ＬＡＮ接続端子４０１を通じてＬＡＮ２に送出し、ＳＩＰサーバ１に送信する（ステップＳ４３）。このように、ＩＰ電話端末４Ａは、携帯電話端末５Ａからの発信要求のＳＩＰサーバ１への中継処理を行う。これにより、ＳＩＰサーバ１は、ＩＰ電話端末４Ａからの発信要求に応じて、電話をかける相手先を特定するようにし、当該電話をかける相手先に対して発信メッセージを送信する（ステップＳ４４）。
【０１４８】
そして、この第２の実施の形態においても、着信先の「第一営業部タナカ」さんが、着信のある自己の電話端末に対して、着信に応答する操作（オフフック操作）を行うことにより、当該電話端末から着信応答がＳＩＰサーバ１に返信されてくる（ステップＳ４５）。当該着信応答は、ＳＩＰサーバ１を通じて発信元のＩＰ電話端末４Ａに通知される（ステップＳ４６）。ＩＰ電話端末４Ａの制御部４３０は、ＬＡＮ接続端子４０１、ＬＡＮＩ／Ｆ４０２を通じてＳＩＰサーバ１からの着信応答を受信すると、これを外部Ｉ／Ｆ４１２、外部端子４１１を通じて携帯電話端末５Ａに送信する（ステップＳ４７）。つまり、ＩＰ電話端末４Ａは、ＳＩＰサーバ１から携帯電話端末５Ａへの着信応答を中継する。
【０１４９】
着信応答を受信した携帯電話端末５Ａは、接続要求を形成し、これをＩＰ電話端末４Ａに提供する（ステップＳ４８）。これにより、ＩＰ電話端末４Ａは、目的とする相手先の電話端末との間に通信路を接続し、通話を行うことができるようにされる（ステップＳ４９）。この後、携帯電話端末５Ａにおいては、制御部５４０の制御の下、表示情報処理部５１２がディスプレイコントローラ５２３を制御し、ディスプレイ５２４の表示を通話中表示に遷移させる（ステップＳ５０）。これにより、図８Ｃに示すように、電話をかけた手先の表示である、宛先欄の「第一営業部タナカ」という表示が拡大ボールド文字により表示するようにされる。さらに当該部分をハイライト表示したり、反転表示したりするなど、より目立つようにしてもよい。
【０１５０】
この後、通話が終了し、ＩＰ電話端末４Ａのハンドセット４４０をＩＰ電話端末４Ａの本体に戻す操作（オンフック操作）が行われたとする（ステップＳ５１）。このステップＳ５１の操作は、オンフックキーなどを押下する操作であってもよい。オンフック操作が行われたことは、オンフック／オフフック検出部４０６により検出され、制御部４３０に通知される。この場合、ＩＰ電話端末４Ａの制御部４３０は、オンフック操作されたことを携帯電話端末５Ａに通知するためのオンフック情報を形成し、これを携帯電話端末５Ａに通知する。
【０１５１】
オンフック情報通知を受け付けた携帯電話端末５Ａにおいては、制御部５４０の制御の下、発信等処理部５１３が機能し、終話処理を実行する（ステップＳ５２）。具体的に、ステップＳ５２では、発信等処理部５１３が切断要求を形成し、これを制御部５４０、外部Ｉ／Ｆ５３２、外部端子５３１を通じて、ＩＰ電話端末４Ａに送信する。
【０１５２】
当該切断要求を受信したＩＰ電話端末４Ａの制御部４３０は、当該切断要求をＬＡＮＩ／Ｆ４０２、ＬＡＮ接続端子４０１を通じてＬＡＮ２に送出し、ＳＩＰサーバ１に送信する（ステップＳ５３）。このように、ＩＰ電話端末４Ａは、携帯電話端末５Ａからの切断要求のＳＩＰサーバ１への中継処理を行う。これにより、ＳＩＰサーバ１は、ＩＰ電話端末４Ａからの切断要求に応じて、通話を行っていた相手先との間の通信路を解放することができるようにされる（ステップＳ５４）。
【０１５３】
この後、携帯電話端末５Ａにおいては、制御部５４０の制御の下、表示情報処理部５１２がディスプレイコントローラ５２３を制御し、ディスプレイ５２４の表示を通常表示に遷移させる（ステップＳ５５）。これにより、携帯電話端末５Ａのディスプレイ５２４の表示画面の表示は、図８Ａに示した電子メール情報の通常表示に戻るようにされる。
【０１５４】
このように、この第２の実施の形態の電話システムの場合には、ＩＰ電話端末４Ａに対して携帯電話端末５Ａを接続することにより、当該ＩＰ電話端末４Ａと携帯電話端末５ＡとによりＳＩＰサーバ１の配下の電話端末として機能することができるようにされる。そして、電話端末としての処理の主体は、携帯電話端末５Ａが担うことによって、ＩＰ電話端末４Ａの構成を簡単にすることができる。
【０１５５】
したがって、社内にいるときには、ＩＰ電話端末４Ａに携帯電話端末５Ａを接続することにより、これらがＳＩＰサーバ１の配下の電話端末となって、ＩＰ網や電話網などの携帯電話網に比べて安価な通信網を通じて通信を行うことができるようにされる。しかも、ユーザは、ＩＰ電話端末４Ａに接続した携帯電話端末５Ａのディスプレイ５２４に電子メール情報を表示して確認しながら、オフフック操作などの極めて直感的で簡単な発信操作を行うだけで、当該電子メール情報の相手先に電話をかけることができる。
【０１５６】
なお、携帯電話端末５Ａに電子メール情報が表示されていないときには、ＩＰ電話端末４Ａと携帯電話端末５Ａとからなる電話端末を通常のボタン電話端末と同様に用いることができる。すなわち、ＩＰ電話端末４Ａのハンドセット４４０を持ち上げてオフフックし、携帯電話端末５Ａの操作入力部５２１を通じて、電話番号の入力や電話番号メモリから目的とする相手先の電話帳データの選択入力を行うことによって、電話をかけることもできる。
【０１５７】
このため、会社内などに形成される電話システムにおいて、外出している時間の多い例えば営業職にある従業員が用いる場合に好適な電話システムを実現することができる。すなわち、社内では構成の簡単なＩＰ電話端末４Ａと携帯電話端末５ＡとによりＳＩＰサーバ１の配下となる電話端末を構成し、これを用いて良好に電話通信を行うことができ、外出先では携帯電話端末５Ａを用いることができるようにされる。
【０１５８】
このように、この第２の実施の形態の電話システムの場合には、上述した第１の実施の形態のＩＰ電話端末４のように、いわゆるフル装備のＩＰ電話端末を用意することなく、構成の簡単なＩＰ電話端末４Ａを用いて電話システムを構築できる。したがって、経済効率よく、使い勝手のよい電話システムを構築することができる。このことは、会社内などに構成する電話システムだけでなく、家庭など設置される電話端末として、ＩＰ電話端末４Ａと携帯電話端末５Ａとを用いた構成することももちろん可能である。
【０１５９】
［第１、第２の実施の形態の変形例］
なお、上述した第１、第２の実施の形態においては、携帯電話端末５、５Ａから発信した発信電子メール情報に基づいて、当該発信電子メール情報の宛先に対して電話をかける場合を例にして説明した。そして、自機が受信した受信電子メール情報の相手先に電話をかける場合にも同様に行うことができる。この場合には、携帯電話端末５、５Ａから表示されている受信した電子メール情報の送信元が、電話をかける相手先となる点が異なるだけである。
【０１６０】
ここまでに説明したように、上述した第１、第２の実施の形態の電話システムは、携帯電話端末５、５Ａに表示された電子メール情報の宛先や送信元に対して電話をかけることができる。しかし、上述もしたように、いわゆるＣＣやＢＣＣに指定された相手先に対しても電話をかけたい場合もある。
【０１６１】
そこで、ここで説明する変形例は、ＩＰ電話端末４、４Ａに接続された携帯電話端末５、５Ａに同じ電子メール情報が表示されている間は、その電子メール情報に含まれる自分以外の相手先に対して、オフフック操作する毎に相手先を替えて発信できるものである。なお、この変形例においては、ＩＰ電話端末４、４Ａ、携帯電話端末５、５Ａと記載するが、上述した第１、第２の実施の形態の通り、ＩＰ電話端末４には携帯電話端末５が、また、ＩＰ電話端末４Ａには携帯電話端末５Ａ接続される。
【０１６２】
図１３は、この変形例における第１、第２の実施の形態の電話システムの動作（処理）を説明するためのシーケンス図である。ここでは、携帯電話端末５、５Ａのディスプレイ５２４の表示画面に、図８Ａに示したように電子メール情報が表示されている場合を例にして説明する。すなわち、送信元は当該携帯電話端末５、５Ａであり、宛先は「第一営業タナカ」さん、ＣＣの１番目は「第二営業クドウ」さん、ＣＣの２番目は「開発部ゴトウ」さんであるとする。
【０１６３】
そして、図１３の右上端部に示すように、第１の実施の形態の第１の例の電話システムにおけるＩＰ電話端末４と携帯電話端末５との接続から電子メール情報の表示処理は、図７に示したステップＳ１〜ステップＳ６の処理が行われる。また、第１の実施の形態の第２の例と第２の実施の形態の電話システムにおけるＩＰ電話端末４、４Ａと携帯電話端末５、５Ａとの接続から電子メール情報の表示処理は、図９、図１２に示したステップＳ１、ステップＳ２、ステップＳ３１、ステップＳ３２の処理が行われる。
【０１６４】
そして、図１３のステップＳ１００、ステップＳ２００、ステップＳ３００に示すように、オフフック操作が行われる毎に、表示されている電子メール情報の相手先であって、電話をかける相手先を変えるようにして、発信処理を繰り返すようにする。
【０１６５】
したがって、第１の実施の形態の第１の例の場合には、図７に示したステップＳ５の処理により、携帯電話端末５から「第一営業タナカ」さん、「第二営業クドウ」さん、「開発部ゴトウ」さんの３人の電子メールアドレスをＩＰ電話端末４に提供する。そして、図１３のステップＳ１００においては、図７のステップＳ７〜ステップＳ２０の処理が行われるが、ステップＳ８においては、まず「第一営業タナカ」さんの電子メールアドレスに基づいて電話番号が特定され、「第一営業タナカ」さんに電話をかける。
【０１６６】
そして、「第一営業タナカ」さんとの通話が終了し、オンフック後、再度、オフフック操作されると、ステップＳ２００においては、「第二営業クドウ」さんの電子メールアドレスに基づいて電話番号が特定され、「第二営業クドウ」さんに電話をかける。次に、「第二営業クドウ」さんとの通話が終了し、オンフック後、再度、オフフック操作されると、ステップＳ３００においては、「開発部ゴトウ」さんの電子メールアドレスに基づいて電話番号が特定され、「開発部ゴトウ」さんに電話をかける。このようにして、携帯電話端末５のディスプレイ５２４に表示された電子メール情報に含まれる自分以外の全て相手先に対して、順次に電話をかけることができるようにされる。
【０１６７】
なお、第１の実施の形態の第２の例の場合には、図１３に示すように、ステップＳ１００、ステップＳ２００、ステップＳ３００のそれぞれにおいては、図９に示したステップＳ３３〜ステップＳ３６の処理およびステップＳ８Ａ〜ステップＳ２０の処理が行われる。この場合、ＩＰ電話端末４におけるオフフック操作に応じて閲覧メール情報要求が携帯電話端末５に提供される毎に、携帯電話端末５のメール情報通知処理部５１１が、ステップＳ３５の処理において異なる相手先の電話番号を特定してＩＰ電話端末４に通知することになる。
【０１６８】
また、第２の実施の形態の場合には、図１３に示すように、ステップＳ１００、ステップＳ２００、ステップＳ３００のそれぞれにおいては、図１２に示したステップＳ４１〜ステップＳ５８の処理が行われる。この場合、ＩＰ電話端末４Ａにおけるオフフック操作に応じて、オフフック情報通知が携帯電話端末５Ａに提供される毎に、携帯電話端末５Ａのメール情報通知処理部５１１、発信等処理部５１３が機能し、ステップＳ４２の処理において異なる相手先の電話番号を特定して発信することになる。
【０１６９】
このように、表示された電子メール情報に含まれる自分以外の全ての相手先に対して、面倒な操作を行うことなく、オフフック操作とオンフック操作とを繰り返すだけで、順次に相手先を替えて電話をかけることができるようにされる。また、この例では、図８に示したように、宛先とＣＣに入力された２名の相手先に電話をかける場合を例に説明したが、相手先の人数に制限はなく、電子メール情報に含まれる複数の相手先を電話をかける相手先とすることができる。もちろん、ＢＣＣ欄に入力された相手先についても、電話をかける相手先として含めることができる。
【０１７０】
また、表示した電子メール情報に複数の相手先が含まれる場合であって、その中の一部の人に電話をかけたいときもある。この場合には、簡単には、上述したように、順番に発信処理を行うが、電話をかける必要のない人に発信する処理が開始された場合に、すぐにオンフックすることにより、その人については発信を飛ばすようにすることができる。また、表示された電子メール情報から、電話をかける必要のない人の電子メールアドレスを削除するようにしてもよい。
【０１７１】
また、最初にオフフック操作をする前に、事前に電話をかける相手先だけを選択しておくようにすることもできる。例えば、電子メールの作成時などにおいて、作成した電子メールに含まれる電子メールアドレスに対応付けられる情報として、電話をかける必要の有無を設定できるようにしておけばよい。また、電話をかける直前に、電話をかける相手先をディスプレイ５２４の表示画面上で設定できるようにしておくことでも対応できる。このようにしても、その後の発信操作においては、相手先を選択する操作は必要ないので、電子メール情報に対応して、簡単に電話をかけることができる。
【０１７２】
［この発明のプログラム］
なお、上述した実施の形態において、図７、図９、図１２において、携帯電話端末５または携帯電話端末５Ａにおいて実行されるものとして示したステップの処理を実行するプログラムが、表示装置に搭載されたコンピュータが実行する電子メール情報提供プログラムや発信処理プログラムに対応する。これらのプログラムを携帯電話端末などの通信端末に搭載することにより、この発明に用いられる表示装置を実現できる。
【０１７３】
また、図７、図９、図１２において、ＩＰ電話端末４またはＩＰ電話端末４Ａにおいて実行される処理として示したステップの処理を実行するプログラムが、ベース装置に搭載されたコンピュータが実行する発信処理プログラムや発信通知プログラムに対応する。これらのプログラムをＩＰ電話端末等の電話端末に搭載することにより、この発明のベース装置を実現することができる。
【０１７４】
［実施の形態の装置や回路部と、請求項の装置や手段との対応］
また、上述した実施の形態からも明らかなように、携帯電話端末５、５Ａの主にディスプレイ５２４が表示手段としての機能を実現し、ＩＰ電話端末４の電話帳メモリ４１０や携帯電話端末５、５Ａの電話帳メモリ５１０が記憶手段としての機能を実現する。また、ＩＰ電話端末４、４Ａの主にハンドセット４４０、フックスイッチＳＷ、オンフック／オフフック検出部４０６、あるいは、操作入力部４０８のオフフックキーが受付手段としての機能を実現する。また、ＩＰ電話端末４の電話番号特定部４２１や携帯電話端末５、５Ａのメール情報通知処理部５１１が特定手段としての機能を実現し、ＩＰ電話端末４の発信等処理部４２２や携帯電話端末５Ａの発信等処理部５１３が発信処理手段としての機能を実現する。
【０１７５】
また、携帯電話端末５、５Ａの外部端子５３１が表示装置側接続端部としての機能を実現し、ＩＰ電話端末４、４Ａの外部端子４１１がベース装置側接続端部としての機能を実現する。また、携帯電話端末５、５Ａのメール情報通知処理部５１１がメール情報通知処理手段としての機能を実現している。また、ＩＰ電話端末４Ａの主に制御部４３０が通知提供手段としての機能を実現している。
【０１７６】
［その他］
また、上述した実施の形態においては、ＩＰ電話システムにこの発明を適用した場合を例にして説明したが、これに限るものではない。ＳＩＰサーバ１の代わりに主装置を用い、ＩＰ電話端末４の代わりにいわゆる従来のボタン電話を用いた電話システムにこの発明を適用することができる。この場合に、各機器間で送受されるデータの形式が変わるだけで、同様の処理を行うようにすることができる。
【０１７７】
上述した実施の形態においては、例えば事業所内に形成される電話システムに提供した場合を例に説明したが、これに限るものではない。家庭に設置されるいわゆる固定電話端末と携帯電話端末とにより構成されるシステムに、この発明を適用することができる。したがって、電話端末はＩＰ電話端末に限るものではない。
【０１７８】
また、上述した実施の形態においては、ＩＰ電話端末４、４Ａと携帯電話端末５、５ＡとはＵＳＢ規格のインターフェースにより接続したが、これに限るものではない。例えば、ブルートゥース（Bluetooth）規格などの近距離無線通信インターフェースやＩｒＤＡ（Infrared Data Association）規格の赤外線による光無線データ通信インターフェースなどにより接続することも可能である。すなわち、有線、無線を問わず、種々のデジタルインターフェースによって接続することが可能である。
【０１７９】
また、上述した実施の形態においては、携帯電話端末を用いるようにしたが、これに限るものではない。パッド型情報端末やタブレッド型情報端末などと呼ばれる電子メール機能を備えた携帯通信端末や通信機能を備えたノート型パーソナルコンピュータなど、種々の通信端末を用いるようにすることもできる。したがって、携帯電話端末５、５Ａの操作入力部５２１は、ディスプレイ５２４の表示画面に表示される表示情報と当該表示画面に貼付されるタッチパネルとにより実現されるいわゆるソフトウェアキーボードの構成とされる場合もある。
【０１８０】
また、必ずしもＩＰ電話端末と携帯電話端末などの通信端末とを接続して形成する電話システムに限るものでもない。例えば、電話通信と電子メールの送受が可能な単体の固定電話端末や携帯電話端末にもこの発明を適用することができる。例えば、携帯電話端末において、送信したり、受信したりした電子メール情報を自機のディスプレイに表示して閲覧しているときに、オフフックキーが操作されたとする。この場合に、その表示されている電子メール情報に含まれる相手先であって、自分以外の相手先の電話番号をその相手先の電子メールアドレスに基づいて電話帳メモリから特定し、その特定した電話番号の相手先に電話をかけるようにすることも可能である。
【符号の説明】
【０１８１】
１…ＳＩＰサーバ、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレス管理ＤＢ、１０７…ＬＡＮＩ／Ｆ、１０８…ＬＡＮへの接続端子、１１０…制御部、２…ＬＡＮ、４、４Ａ…ＩＰ電話端末、４０１…ＬＡＮ接続端子、４０２…ＬＡＮＩ／Ｆ、４０３…パケット処理部、４０４…通話音声入出力Ｉ／Ｆ、４０５…ハンドセット接続端子、４０６…オンフック／オフフック検出部、４０７…リンガ、４０８…操作入力部、４０９…操作入力Ｉ／Ｆ、４１０…電話帳メモリ、４１１…外部端子、４１２…外部Ｉ／Ｆ、４１３…充電電流供給回路、４１４…ＡＣコンセント、４１５…ディスプレイコントローラ、４１６…ディスプレイ、４２１…電話番号特定部、４２２…発信等処理部、４２３…端末表示制御部、４３０…制御部、４４０…ハンドセット、５、５Ａ…携帯電話端末、５０１…送受信アンテナ、５０２…電話通信部、５０３…送受信信号処理部、５０４…通話音声処理部、５０５…受話アンプ、５０６…受話器（スピーカ）、５０７…送話器（マイクロホン）、５０８…送話アンプ、５１０…電話帳メモリ、５１１…メール情報通知処理部、５１２…表示情報処理部、５１３…発信等処理部、５２１…操作入力部、５２２…操作入力Ｉ／Ｆ、５２３…ディスプレイコントローラ、５２４…ディスプレイ、５２５…リンガ、５３１…外部端子、５３２…外部Ｉ／Ｆ、５３３…充電回路、５３４…バッテリ、５４０…制御部、６…ＩＰ網、７…電話網
【図１】
0005716911.tif 000002
【図２】
0005716911.tif 000003
【図３】
0005716911.tif 000004
【図４】
0005716911.tif 000005
【図５】
0005716911.tif 000006
【図６】
0005716911.tif 000007
【図７】
0005716911.tif 000008
【図８】
0005716911.tif 000009
【図９】
0005716911.tif 000010
【図１０】
0005716911.tif 000011
【図１１】
0005716911.tif 000012
【図１２】
0005716911.tif 000013
【図１３】
0005716911.tif 000014